(57)【要約】  【課題】  プリント配線基板に部品を実装した後に、新たな部品を配置するときに、該新たに配置される部品の端子を容易に共挿しすることができるジャンパ用のジャンパ線を提供する。  【解決手段】  導電線１１とリード線１２は一体的に形成されており、導電線１１の中央部１１２には接続部１１３が形成され、ジャンパ線１の導電線１１及びリード線１２は導電性を有するメッキ被覆が施されている。【選択図】      図３
2006049520.tif 000002
【特許請求の範囲】
【請求項１】
プリント配線基板に形成されている導体パターンを電気的に接続するジャンパ線であっ
て、
電流が流れる導電線と、
前記導電線の両端部に配置されるリード線とを有しており、
前記導電線と前記リード線とは一体的に形成され、前記導電線と前記リード線とは所定
角度をなしているとともに、表面に導電性を有するメッキ被覆が形成されており、
前記導電線は前記プリント配線基板に実装される他の部品の端子と接続するための接続
部を備え、前記接続部には屈曲した山型の空間が形成されており、
前記接続部に前記他の部品の端子を挿入し、はんだ付けすることで導電状態で該他の部
品と接続固定できることを特徴とするジャンパ線。
【請求項２】
プリント配線基板に形成されている導体パターンを電気的に接続するジャンパ線であっ
て、
電流が流れる導電線と、
前記導電線の両端部に配置されるリード線とを有しており、
前記導電線と前記リード線とは一体的に形成され、前記導電線と前記リード線とは所定
角度をなしているとともに、表面は導電性を有しており、
前記導電線は前記プリント配線基板に実装される他の部品の端子と接続するための接続
部を備え、前記接続部は前記基板との間に空間が形成されており、
前記接続部に前記他の部品の端子を挿入し、はんだ付けすることで導電状態で該他の部
品と接続固定できることを特徴とするジャンパ線。
【請求項３】
前記導電線の表面に導電性のめっきが施されていることを特徴とする請求項２に記載の
ジャンパ線。
【請求項４】
前記導電線の前記接続部が形成されていない部分には絶縁被覆が取り付けられているこ
とを特徴とする請求項２に記載のジャンパ線。
【発明の詳細な説明】
【技術分野】
【０００１】
本発明は、プリント配線基板に形成されている導体パターンを電気的に接続するジャン
パ線として用いられるジャンパ線に関するものである。
【背景技術】
【０００２】
プリント配線基板には基板の表面には導体パターンが形成されている。前記プリント配
線基板には、前記導電パターンに対応して、表又は裏面よりＣＰＵ、ＲＡＭ、ＲＯＭ等の
ＩＣチップ、各種コンデンサ、抵抗、トランジスタ等の電気要素部品が配置され電気的に
接続される。
【０００３】
各部品を導体パターンに接続する場合、部品の端子をスルーホールに挿入し、はんだ付
けすることで、部品の端子と前記導電パターンとを電気的に接続することができる。また
、前記プリント配線基板の導電パターンの間を電気的に接続するときにはジャンパ線（メ
ッキ線）を用いる。
【０００４】
図５に従来例のジャンパ線の一例の正面図を、図６に図５に示すジャンパ線をプリント
配線基板に配置した状態の断面図を示す。図５、図６に示すジャンパ線９１は導電線９１
１の両サイドにリード線９１２を有しており、リード線９１２を導電線９１１が通電状態
になるように接続している。リード線９１２を基板ＭＢに形成されているスルーホールＴ
Ｈに挿入しはんだ付けすることでプリント配線基板ＭＢに形成された導電パターンＰｔと
ジャンパ線９１とを電気的に接続する。図６に示すようにプリント配線基板ＭＢの隣り合
う導電パターンＰｔを通電状態にすることができる。
【０００５】
また、前記ジャンパ線が交差するときには、交差するジャンパ線同士が接触するとよく
ない場合が多く、前記ジャンパ線が立体交差する例が特開平6−334290号公報及び特開200
0−12993号公報に記載されている。
【特許文献１】特開平６−３３４２９０号公報
【特許文献２】特開２０００−１２９９３号公報
【発明の開示】
【発明が解決しようとする課題】
【０００６】
プリント配線基板ＭＢに部品を実装した後に急遽部品を追加する場合がある。このとき
、基板のスルーホールＴＨに現在挿入されている部品の端子と、予め挿入されている部品
の端子を一緒に挿入（共挿し）し、はんだ付けすることで行われていた。
【０００７】
しかしながら、ジャンパ線９１はメッキ線でありプリント配線基板ＭＢのスルーホール
ＴＨの孔径に対して太く他の部品の端子９３と共挿しするのは不可能である。そこで、図
６に示すように、ジャンパ線９１の外部に露出している部分と追加する部品の端子９３と
をはんだ９２を溶着することで取り付ける方法も考えられるが、はんだ９２の溶着による
取り付けは弱く、わずかな力が加わるだけではずれる。はんだ９２溶着による取り付けが
外れると、追加部品を有効に作動させることができない。
【０００８】
それを防ぐためには予め共挿しすることを考えて導電パターンＰｔを作製するか、部品
を追加したときのみに利用する予備のスルーホールを備えている必要があり、プリント配
線基板ＭＢの導電パターンＰｔの作製が制約される恐れがある。
【０００９】
そこで本発明は、プリント配線基板に部品を実装した後に、新たな部品を配置するとき
に、該新たに配置される部品の端子を容易に共挿しすることができるジャンパ用のジャン
パ線を提供することを目的とする。
【課題を解決するための手段】
【００１０】
上記目的を達成するために請求項１の発明は、プリント配線基板に形成されている導体
パターンを電気的に接続し、表面がメッキで被覆されているジャンパ線であって、電流が
流れる導電線と、前記導電線の両端部に配置されるリード線とを有しており、前記導電線
と前記リード線とは一体的に形成され、前記導電線と前記リード線とは所定角度をなして
いるとともに、表面に導電性を有するメッキ被覆が形成されており、前記導電線は前記プ
リント配線基板に実装される他の部品の端子と接続するための接続部を備え、前記接続部
は屈曲した山型の空間が形成されており、前記接続部に前記他の部品の端子を挿入し、は
んだ付けすることで固定できることを特徴とするジャンパ線を提供する。
【００１１】
この構成によると、前記ジャンパ線を実装済みの前記プリント配線基板に新たに、部品
を追加する場合でも、前記接続部に前記追加する部品の端子を挿入し、はんだ付けするこ
とで導電状態で固定することができる。
【００１２】
このことより、前記ジャンパ線の前記プリント配線基板より突出した部分にはんだ付け
のみで固定するものに比べて、容易に且つ強固に固定することが可能である。また、ジャ
ンパ線を実装した後でも、容易に部品を追加することができるので、前記プリント配線基
板の導電パターンをより自由に形成することが可能である。
【００１３】
上記目的を達成するために請求項２の発明は、プリント配線基板に形成されている導体
パターンを電気的に接続し、表面がメッキで被覆されているジャンパ線であって、電流が
流れる導電線と、前記導電線の両端部に配置されるリード線とを有しており、前記導電線
と前記リード線とは一体的に形成され、前記導電線と前記リード線とは所定角度をなして
いるとともに、表面に導電性を有するメッキ被覆が形成されており、前記導電線は前記プ
リント配線基板に実装される他の部品の端子と接続するための接続部を備え、前記接続部
は前記基板との間に空間が形成されており、前記接続部に前記他の部品の端子を挿入し、
はんだ付けすることで固定することを特徴とするジャンパ線を提供する。
【００１４】
この構成によると、前記ジャンパ線を実装済みの前記プリント配線基板に新たに、部品
を追加する場合でも、前記接続部に前記追加する部品の端子を挿入し、はんだ付けするこ
とで導電状態で固定することができる。
【００１５】
このことより、前記ジャンパ線の前記プリント配線基板より突出した部分にはんだ付け
のみで固定するものに比べて、容易に且つ強固に固定することが可能である。また、ジャ
ンパ線を実装した後でも、容易に部品を追加することができるので、前記プリント配線基
板の導電パターンをより自由に形成することが可能である。
【００１６】
上記構成において、前記導電線の表面は導電性のめっきが施されていてもよい。
【００１７】
この構成によると、前記ジャンパ線を実装済みの前記プリント配線基板に新たに、部品
を追加する場合でも、前記接続部に前記追加する部品の端子を挿入し、はんだ付けするこ
とで導電状態で固定することができる。
【００１８】
上記構成において、前記導電線の前記接続部が形成されていない部分には絶縁被覆が取
り付けられていてもよい。
【００１９】
この構成によると、導電線の接続部以外の部分に絶縁性被覆が取り付けられており、接
続部以外で他の部品の端子等と物理的に接触しても電気的に接触しない。このことより、
部品が密集した場所に取り付けることで、不要な部分での他の部品との電気的接触を防止
することができる。また、以上のことより、前記プリント配線基板の導電パターンが形成
された面からもジャンパすることが可能である。
【発明の効果】
【００２０】
本発明によると、プリント配線基板に部品を実装した後に、新たな部品を配置するとき
に、該新たに配置される部品の端子を容易に共挿しすることができるジャンパ用のジャン
パ線を提供することができる。
【発明を実施するための最良の形態】
【００２１】
以下に本発明の実施形態を図面を参照して説明する図１に本発明にかかるジャンパ線を
プリント配線基板に実装した状態の斜視図を示す。プリント配線基板ＭＢはそれには限定
されないがここでは、一方の面（裏面ＲＢ）に導電性を有する金属膜で形成された導電パ
ターンＰｔが形成されている。導電パターンＰｔの所定の場所にはプリント配線基板ＭＢ
の表面ＦＢから裏面ＲＢに貫通するスルーホールＴＨが形成されている。また、表面ＦＢ
にトランジスタＴ、抵抗部材Ｒ、コンデンサＣの電子部品が配置されている。また、隣り
合う導電パターンＰｔ同士を電気的に接続するジャンパ線１も配置されている。ジャンパ
線１には他の部品の端子３が接続している。
【００２２】
図２に本発明にかかるジャンパ線の一例の正面図を示す。ジャンパ線１はプリント配線
基板ＭＢの異なる導電パターンＰｔ、Ｐｔ同士を電気的に接続するものである。図２に示
すようにジャンパ線１は導電線１１と導電線１１の両端部１１１と接続しているリード線
１２とを有している。
【００２３】
導電線１１とリード線１２はそれには限定されないがここでは、一体的に形成されてお
り、導電線１１とリード線１２のなす角はそれには限定されないが、ここでは略直角であ
る。導電線１１の中央部１１２には接続部１１３が形成されている。接続部１１３はそれ
には限定されないが、接続部１１３の導電線１１が屈曲しており山型の空間部１１４を形
成している。ジャンパ線１の導電線１１及びリード線１２は導電性を有するメッキ被覆が
施されている。
【００２４】
図３（Ａ）に本発明にかかるジャンパ線をプリント配線基板に設置した状態の平面図を
、図３（Ｂ）に図３（Ａ）に示すジャンパ線をプリント配線基板に設置した状態の正面側
断面図を、図３（Ｃ）に図３（Ａ）に示すジャンパ線をプリント配線基板に設置した状態
の側断面図を示す。図３各図に示すように、プリント配線基板ＭＢは裏面（図３（Ｂ）中
下面）に導電パターンＰｔが形成されている。また、プリント配線基板ＭＢには、表面Ｆ
Ｂから裏面ＲＢに貫通するスルーホールＴＨが形成されている。
【００２５】
図３（Ａ）、（Ｃ）に示すようにジャンパ線１はリード線１２をスルーホールＴＨの表
面ＦＢ側から挿入する。導電パターンＰｔ（Ｐｔ１、Ｐｔ２）とリード線１２とが導電状
態になるようにはんだ２にて接続する。これによって、導電パターンＰｔ１と導電パター
ンＰｔ２とが電気的に接続される。このとき、ジャンパ線１のリード線１２の先端１２１
の不要部分は切断される。
【００２６】
こうしてはんだ２にて接続した後、改良のため、導電パターンＰｔ（Ｐｔ１、Ｐｔ２）
のいずれか一方又は両方に上述のような電子部品の端子又はジャンパ線のリード線（ここ
では電子部品の端子３）を接続しなくてはならない場合がある。このとき、端子３をジャ
ンパ線１の接続部１１３の山型の空間部１１４の内部に挿入し、接続部１１３と電気的に
接触させた状態ではんだ２にて接続する。
【００２７】
このように、接続部１１３に端子３を挿入し、はんだ２を溶着して固定する場合、予め
プリント配線基板ＭＢに取り付けられたジャンパ線１の接続部１１３に端子３を挿入する
ことができるので、新たに電子部品、ジャンパ線等を容易に追加することができる。
【００２８】
また、ジャンパ線１と端子３を電気的に接続することができるとともに、接続部１１３
の山型空間１１４内部に挿入しているのでジャンパ線１と端子３とが外力によって分離す
るのを低減することができる。
【００２９】
図４に本発明にかかるジャンパ線の他の例の正面図を示す。図４に示すジャンパ線１ａ
は、導電線１１ａと導電線１１ａの両端部に設けられたリード線１２とを有している。導
電線１１ａには山型の空間１１４を有する接続部１１３が形成されている。導電線１１ａ
の接続部１１３以外の部分には、絶縁性を有する絶縁被覆１１５が施されている。それ以
外の部分は図２に示すジャンパ線と同じ形状を有している。
【００３０】
図４に示すジャンパ線１ａの導電線１１ａは、絶縁被覆１１５が形成されているので、
他の部材と接触し、短絡することで基板その他の部分が破損するのを防ぐことが可能であ
る。また、プリント配線基板ＭＢの導電パターンＰｔが形成されている裏面ＲＢ側にも設
置が可能である。
【００３１】
上記実施例では接続部として導電線を折り曲げて山型の空間を形成したものを例に説明
しているが、それに限定されるものではなく、半円形、台形、矩形等、電子部品の端子や
他のジャンパ線を挿入し容易にはんだ付けすることができるものを広く採用することがで
きる。
【図面の簡単な説明】
【００３２】
【図１】本発明にかかるジャンパ線をプリント配線基板に実装した状態の斜視図である。
【図２】本発明にかかるジャンパ線の一例の正面図である。
【図３】図（Ａ）は本発明にかかるジャンパ線をプリント配線基板に設置した状態の平面図であり、図（Ｂ）は図（Ａ）に示すジャンパ線をプリント配線基板に設置した状態の正面側断面図であり、図（Ｃ）は図（Ａ）に示すジャンパ線をプリント配線基板に設置した状態の側断面図である。
【図４】本発明にかかるジャンパ線の他の例の正面図である。
【図５】従来例のジャンパ線の一例の正面図である。
【図６】図５に示すジャンパ線をプリント配線基板に配置した状態の断面図である。
【符号の説明】
【００３３】
ＭＢ  プリント配線基板
Ｐｔ  導電パターン
Ｔ  トランジスタ
Ｒ  抵抗
Ｃ  コンデンサ
ＴＨ  スルーホール
１  ジャンパ線
１１  導電線
１１１  端部
１１２  中央部
１１３  接続部
１１４  空間部
１２  リード線
【図１】
2006049520.tif 000003
【図２】
2006049520.tif 000004
【図３】
2006049520.tif 000005
【図４】
2006049520.tif 000006
【図５】
2006049520.tif 000007
【図６】
2006049520.tif 000008